(57)【要約】【課題】配電系統に接続された機器の仕様に応じて、当該機器への駆動電力の供給要否を適切に判定し、当該機器の制御回路又は周辺装置の誤動作や破損を防ぐ。【解決手段】接続された電力線に所定の交流電力又は直流電力を供給する電力コントローラと、電力コントローラに接続される中継コントローラと、中継コントローラに接続される機器とを備え、機器は、電力蓄電部と、機器の駆動に関する電源情報を中継コントローラに送信する電源情報送信部とを備え、中継コントローラとの接続時に電源情報送信部は電力蓄電部を駆動源として電源情報を中継コントローラに送信し、中継コントローラは、電力コントローラの供給電力情報と機器から送信された電源情報とが一致するか否かを判定する電力種別判定部と、当該判定結果に従って電力コントローラの供給電力の導通を制御する電力供給制御部とを備え、供給電力情報と電源情報とが一致する際、電力供給制御部は電力コントローラの供給電力を導通させる。【選択図】図１
2011193634.tif 000002
【特許請求の範囲】
【請求項１】
接続された電力線に所定の交流電力又は直流電力を供給する電力コントローラと、
前記電力線を介して前記電力コントローラに接続される中継コントローラと、
前記中継コントローラに接続される機器と、を備え、
前記機器は、電力蓄電部と、当該機器の駆動に関する電源情報を前記中継コントローラに送信する電源情報送信部とを備え、前記中継コントローラに接続された際に、前記電源情報送信部は前記電力蓄電部を駆動源として前記電源情報を前記中継コントローラに送信し、
前記中継コントローラは、前記電力コントローラにより供給された電力に関する供給電力情報と、前記機器により送信された前記電源情報とが一致するか否かを判定する電力種別判定部と、当該電力種別判定部の判定結果に従って前記電力コントローラにより供給された電力の前記機器への導通を制御する電力供給制御部とを備え、前記供給電力情報と前記電源情報とが一致すると判定された際、前記電力供給制御部は前記電力コントローラにより供給された電力を前記機器へ導通することを特徴とする宅内配電システム。
【請求項２】
請求項１に記載の宅内配電システムであって、
前記中継コントローラは、前記電力コントローラにより供給された電力の前記供給電力情報を判定する供給電力判定部と、前記機器により送信された前記電源情報を受信する電源情報受信部とを備え、前記供給電力判定部は当該判定された前記供給電力情報を前記電力種別判定部に出力し、前記電源情報受信部は当該受信された前記電源情報を前記電力種別判定部に出力することを特徴とする宅内配電システム。
【請求項３】
請求項２に記載の宅内配電システムであって、
前記電力種別判定部は、前記電源情報受信部により出力された前記電源情報を取得した後に、前記電力コントローラにより供給された電力に関する供給電力情報を判定するように前記供給電力判定部に指示することを特徴とする宅内配電システム。
【請求項４】
請求項１〜３のうちいずれか一項に記載の宅内配電システムであって、
前記機器は、前記中継コントローラを介して前記電力コントローラにより供給された電力が導通されている際に、前記電力コントローラにより供給された電力の一部を前記電力蓄電部に充電することを特徴とする宅内配電システム。
【請求項５】
請求項４に記載の宅内配電システムであって、
前記機器は、前記電力蓄電部に前記電力コントローラにより供給された電力の前記電力蓄電部への導通を制御する蓄電制御部とを備え、前記蓄電制御部は、前記電力コントローラにより供給された電力を前記電力蓄電部へ導通することを特徴とする宅内配電システム。
【請求項６】
請求項１〜５のうちいずれか一項に記載の宅内配電システムであって、
前記機器は、当該機器の平均的な消費電力に関する情報を含む機器情報を保持し、前記中継コントローラを介して前記電力コントローラにより供給された電力が導通された際に、前記機器情報を中継コントローラに送信し、
前記中継コントローラは、前記機器により送信された前記機器情報を前記電力コントローラに送信し、
前記電力コントローラは、前記中継コントローラにより送信された前記機器情報を分析すると共に、前記機器情報に含まれる前記平均的な消費電力に基づいて前記所定の交流電力又は直流電力を供給することを特徴とする宅内配電システム。
【請求項７】
請求項１〜５のうちいずれか一項に記載の宅内配電システムであって、
前記機器は、当該機器に対する待機電力の必要性又は高頻度の使用時間帯に関する情報を含む機器情報を保持し、前記中継コントローラを介して前記電力コントローラにより供給された電力が導通された際に、前記機器情報を中継コントローラに送信し、
前記中継コントローラは、前記機器により送信された前記機器情報を前記電力コントローラに送信し、
前記電力コントローラは、前記中継コントローラにより送信された前記機器情報を分析すると共に、前記機器情報に含まれる前記待機電力の必要性又は高頻度の使用時間帯に関する情報に基づいて電気料金の安い所定の時間帯に前記所定の交流電力又は直流電力を充電することを特徴とする宅内配電システム。
【発明の詳細な説明】
【技術分野】
【０００１】
本発明は、機器の駆動電力種別及び駆動電圧値に合致する電力を供給する宅内配電システムに関する。
【背景技術】
【０００２】
従来の家電機器は、交流電力である商用電源を入力して動作する制御回路を備えるものが多かった。しかし、今後、燃料電池及び太陽光発電装置等により得られる直流電力を家電機器に直接的に供給するためのシステムの提案が想定されるため、従来の交流電力を供給するためのシステムと直流電力を供給するためのシステムとが共存する配電システムが流行する可能性は高い。すなわち、このような配電システムの構築された家庭内においては、交流電力を電源とする家電機器と、直流電力を電源とする家電機器との混在が想定される。
【０００３】
このような交流電力と直流電力とを供給することが可能な配電システムに家電機器を接続した場合、当該家電機器の制御回路又は周辺装置等の誤動作や破損を防ぐために、当該家電機器に必要とされる電力種別及び電圧値と異なる電力種別及び電圧値の電源に接続されないように注意する必要がある。なお、家電機器に最適な種類の電力を供給するものとして、例えば特許文献１がある。
【０００４】
特許文献１には、コンセントに複数の異なった電源を供給すると共に、当該コンセントに接続された家庭内の電力機器の電源種別を確認して、当該電力機器の電源として最適な種類の電源を当該電力機器に接続する負荷制御装置が開示されている。
【０００５】
特許文献１に開示されている負荷制御装置１００ａ及び１００ｂと集中表示装置１０１との接続の様子について図１０を参照して説明する。図１０は、負荷制御装置１００ａ及び１００ｂと集中表示装置１０１との接続を示すブロック図である。負荷制御装置１００ａ及び１００ｂは、家庭内等における所望の複数個所に設けられ、図１０に示すように、ＡＣ２００［Ｖ］の電源線と、ＡＣ１００［Ｖ］の電源線と、ＤＣ２００［Ｖ］の電源線とにそれぞれ接続されている。更に、図１０においては、負荷制御装置１００ａ及び１００ｂ内のデータ伝送装置が、データバスを介して、集中表示装置１０１に接続されている。
【先行技術文献】
【特許文献】
【０００６】
【特許文献１】特開平０３−１４９７７８号公報
【発明の概要】
【発明が解決しようとする課題】
【０００７】
前述したような交流電力を電源とする家電機器と、直流電力を電源とする家電機器とのいずれにも必要な電力を供給可能な宅内配電システムにおいては、家電機器がユーザにより配電系統に誤接続された場合、当該配電系統から当該家電機器に対して必要な電力が供給されない、又は必要以上の電力が供給されることがあった。このため、家電機器内の制御回路又は周辺装置が動作しない又は破損するという問題点があった。
【０００８】
本発明は、前述従来の問題点を解決するものであって、配電系統に接続された機器の仕様に応じて当該機器への駆動電力の要否を適切に判定し、当該機器の制御回路又は周辺装置の誤動作や破損を防ぐ宅内配電システムを提供することを目的とする。
【課題を解決するための手段】
【０００９】
前記従来の課題を解決するために、本発明の宅内配電システムは、接続された電力線に対応して所定の交流電力又は直流電力を供給する電力コントローラと、前記電力線を介して前記電力コントローラに接続される中継コントローラと、前記中継コントローラに接続される機器と、を備え、前記機器は、電力蓄電部と、当該機器の駆動に関する電源情報を前記中継コントローラに送信する電源情報送信部とを備え、前記中継コントローラに接続された際に、前記電源情報送信部は前記電力蓄電部を駆動源として前記電源情報を前記中継コントローラに送信し、前記中継コントローラは、前記電力コントローラにより供給された電力に関する供給電力情報と、前記機器により送信された前記電源情報とが一致するか否かを判定する電力種別判定部と、当該電力種別判定部の判定結果に従って前記電力コントローラにより供給された電力の前記機器への導通を制御する電力供給制御部とを備え、前記供給電力情報と前記電源情報とが一致すると判定された際、前記電力供給制御部は前記電力コントローラにより供給された電力を前記機器へ導通することを特徴とする。
【００１０】
これにより、配電系統に接続された機器の仕様に応じて当該機器への駆動電力の要否を適切に判定し、当該機器の制御回路又は周辺装置の誤動作や破損を防ぐことができる。
【発明の効果】
【００１１】
本発明に係る宅内配電システムによれば、配電系統に接続された機器の仕様に応じて、当該機器への駆動電力の供給要否を適切に判定し、当該機器の制御回路又は周辺装置の誤動作や破損を防ぐことができる。
【図面の簡単な説明】
【００１２】
【図１】実施の形態１の宅内配電システムの全体構成を示すブロック図
【図２】実施の形態１の宅内配電システムにおける中継コントローラ及び機器の各構成を示すブロック図
【図３】実施の形態１の宅内配電システムの動作を説明するフローチャート
【図４】全ての各機器が適正に接続された様子の一例を示す説明図
【図５】一部の機器が誤って接続された様子の一例を示す説明図
【図６】実施の形態２の宅内配電システムの動作を説明するフローチャート
【図７】実施の形態３の宅内配電システムにおける中継コントローラ及び機器の各構成を示すブロック図
【図８】実施の形態３の宅内配電システムの動作を説明するフローチャート
【図９】実施の形態４の宅内配電システムにおける電力コントローラ及び中継コントローラ及び機器の各構成を示すブロック図
【図１０】従来の負荷制御装置と集中表示装置との接続を示すブロック図
【発明を実施するための形態】
【００１３】
第１の発明は、接続された電力線に所定の交流電力又は直流電力を供給する電力コントローラと、電力線を介して電力コントローラに接続される中継コントローラと、中継コントローラに接続される機器とを備え、機器は、電力蓄電部と、当該機器の駆動に関する電源情報を中継コントローラに送信する電源情報送信部とを備え、中継コントローラに接続された際に、電源情報送信部は電力蓄電部を駆動源として電源情報を中継コントローラに送信し、中継コントローラは、電力コントローラにより供給された電力に関する供給電力情報と機器により送信された電源情報とが一致するか否かを判定する電力種別判定部と、当該電力種別判定部の判定結果に従って電力コントローラにより供給された電力の機器への導通を制御する電力供給制御部とを備え、供給電力情報と電源情報とが一致すると判定された際、電力供給制御部は電力コントローラにより供給された電力を機器へ導通するものである。
【００１４】
これにより、配電系統に接続された機器の仕様に応じて当該機器への駆動電力の要否を適切に判定し、当該機器の制御回路又は周辺装置の誤動作や破損を防ぐことができる。
【００１５】
第２の発明は、特に第１の発明の中継コントローラが、電力コントローラにより供給された電力の供給電力情報を判定する供給電力判定部と、機器により送信された電源情報を受信する電源情報受信部とを備え、供給電力判定部は当該判定された供給電力情報を電力種別判定部に出力し、電源情報受信部は当該受信された電源情報を電力種別判定部に出力するものである。
【００１６】
これにより、電力コントローラに供給された電力の供給電力情報を的確に判定することができ、更に、機器により送信された電源情報を適正に受信したことを把握することができるため、配電系統に接続された機器の仕様に応じて当該機器への駆動電力の要否を適切に判定し、当該機器の制御回路又は周辺装置の誤動作や破損を防ぐことができる。
【００１７】
第３の発明は、特に第２の発明の電力種別判定部が、電源情報受信部により出力された電源情報を取得した後に、電力コントローラにより供給された電力に関する供給電力情報を判定するように供給電力判定部に指示するものである。
【００１８】
これにより、電力コントローラにより供給された電力に関する供給電力情報を常時判定する必要がなくなり、供給電力判定部は電力種別判定部による指示を取得した後に供給電力情報を判定すれば良いため、供給電力判定部による消費電力を低減することができる。
【００１９】
第４の発明は、特に第１〜第３の発明のうちいずれかの発明の機器が、中継コントローラを介して電力コントローラにより供給された電力が導通されている際に、電力コントローラにより供給された電力の一部を電力蓄電部に充電するものである。
【００２０】
これにより、機器が駆動している際に当該機器の有する電力蓄電部に電力を充電することができるため、電力蓄電部により充電されている電力がなくなった場合に必要な電池交換の手間を省くことができ、利便性の高い機器利用が可能となる。
【００２１】
第５の発明は、特に第４の発明の機器が、電力蓄電部に電力コントローラにより供給された電力の電力蓄電部への導通を制御する蓄電制御部とを備え、蓄電制御部は、電力コントローラにより供給された電力を電力蓄電部へ導通する。
【００２２】
これにより、機器が駆動している際に、当該機器に供給された電力を電力蓄電部に導通することにより電力を適切に充電することができるため、電力蓄電部により充電されている電力がなくなった場合に必要な電池交換の手間を省くことができ、利便性の高い機器利用が可能となる。
【００２３】
第６の発明は、特に第１〜第５のうちいずれかの発明の機器が、機器の平均的な消費電力に関する情報を含む機器情報を保持して、中継コントローラを介して電力コントローラにより供給された電力が導通された際に機器情報を中継コントローラに送信し、中継コントローラが機器により送信された機器情報を電力コントローラに送信し、電力コントローラが中継コントローラにより送信された機器情報を分析すると共に機器情報に含まれる平均的な消費電力に基づいて所定の交流電力又は直流電力を供給するものである。
【００２４】
これにより、機器が駆動している際に電力コントローラが当該機器の機器情報を分析して、当該機器に対して供給される直流電力又は交流電力におけるエネルギーロスを最小限にすることができる。
【００２５】
第７の発明は、特に第１〜第５のうちいずれかの発明の機器が、機器に対する待機電力の必要性又は高頻度の使用時間帯に関する情報を含む機器情報を保持して、中継コントローラを介して電力コントローラにより供給された電力が導通された際に機器情報を中継コントローラに送信し、中継コントローラが機器により送信された機器情報を電力コントローラに送信し、電力コントローラが中継コントローラにより送信された機器情報を分析すると共に機器情報に含まれる待機電力の必要性又は高頻度の使用時間帯に関する情報に基づいて電気料金の安い所定の時間帯に所定の交流電力又は直流電力を充電するものである。
【００２６】
これにより、機器が駆動している際に電力コントローラが当該機器の機器情報を分析して、当該機器に対して供給される直流電力又は交流電力の使用に対する電気料金の削減を効率的に図ることができる。
【００２７】
本発明は、第１の発明から第７の発明の要部を実施の形態とすることにより本発明の目的を達成できるため、各請求項に対応する実施の形態の詳細を、以下に図面を参照しながら説明し、本発明を実施するための最良の形態の説明とする。なお、本実施の形態によって本発明が限定されるものではない。また、各実施の形態の説明において、同一構成並びに同一作用効果を奏するところには、同一符号を付して重複した説明を行わないものとする。
【００２８】
（実施の形態１）
図１は、本発明の実施の形態１における宅内配電システム５０の構成を示すブロック図である。
【００２９】
図１に示すように、本実施の形態１における宅内配電システム５０は、電力コントローラ１０と、複数の中継コントローラ２０ａ〜２０ｉと、複数の機器３０ａ〜３０ｉとを備える。電力コントローラ１０と、３つの中継コントローラ２０ａ〜２０ｃとは、当該電力コントローラ１０と各々の中継コントローラ２０ａ〜２０ｃとの間で高圧直流電力が授受される高圧直流電力線Ｌ１を介してそれぞれ並列接続されている。
【００３０】
電力コントローラ１０と、３つの中継コントローラ２０ｄ〜２０ｆとは、当該電力コントローラ１０と各々の中継コントローラ２０ｄ〜２０ｆとの間で低圧直流電力が授受される低圧直流電力線Ｌ２を介してそれぞれ並列接続されている。
【００３１】
電力コントローラ１０と、３つの中継コントローラ２０ｇ〜２０ｉとは、当該電力コントローラ１０と各々の中継コントローラ２０ｇ〜２０ｉとの間で交流電力が授受される交流電力線Ｌ３を介してそれぞれ並列接続されている。
【００３２】
中継コントローラ２０ａと、機器３０ａとは、電力コントローラ１０により供給された高圧直流電力が中継コントローラ２０ａを中継して供給される高圧直流電力線Ｌ４を介して直列接続されている。同様に、中継コントローラ２０ｂと機器３０ｂとは高圧直流電力線Ｌ５を介して直列接続され、中継コントローラ２０ｃと機器３０ｃとは高圧直流電力線Ｌ６を介して直列接続されている。
【００３３】
中継コントローラ２０ｄと、機器３０ｄとは、電力コントローラ１０により供給された低圧直流電力が中継コントローラ２０ｄを中継して供給される低圧直流電力線Ｌ７を介して直列接続されている。同様に、中継コントローラ２０ｅと機器３０ｅとは低圧直流電力線Ｌ８を介して直列接続され、中継コントローラ２０ｆと機器３０ｆとは低圧直流電力線Ｌ９を介して直列接続されている。
【００３４】
中継コントローラ２０ｇと、機器３０ｇとは、電力コントローラ１０により供給された交流電力が中継コントローラ２０ｇを中継して供給される交流電力線Ｌ１０を介して直列接続されている。同様に、中継コントローラ２０ｈと機器３０ｈとは交流電力線Ｌ１１を介して直列接続され、中継コントローラ２０ｉと機器３０ｉとは交流電力線Ｌ１２を介して直列接続されている。
【００３５】
電力コントローラ１０は、例えば家庭内等に配設される一種の配電系統であり、商用電源１から所定の交流電力の供給を受けると共に、太陽電池２、燃料電池３及び蓄電池４によりそれぞれ蓄電された直流電力の供給を受ける。電力コントローラ１０は、接続されている高圧直流電力線Ｌ１を介して中継コントローラ２０ａ〜２０ｃに対して等価な高圧直流電力を供給する。電力コントローラ１０は、接続されている低圧直流電力線Ｌ２を介して中継コントローラ２０ｄ〜２０ｆに対して等価な低圧直流電力を供給する。また、電力コントローラ１０は、接続されている交流電力線Ｌ３を介して中継コントローラ２０ｇ〜２０ｉに対して等価な交流電力を供給する。
【００３６】
中継コントローラ２０ａは、高圧直流電力線Ｌ１を介して接続されている電力コントローラ１０から高圧直流電力の供給を受けると共に、中継コントローラ２０ａと機器３０ａとの間で所定の導通条件が成立した際に、高圧直流電力線Ｌ４を介して当該電力コントローラ１０により供給された高圧直流電力を機器３０ａに供給する。なお、電力コントローラ１０により供給された高圧直流電力の中継コントローラ２０ｂ及び２０ｃへの供給については中継コントローラ２０ａと同様であるため、中継コントローラ２０ｂ及び２０ｃへの供給に関する説明は省略する。
【００３７】
中継コントローラ２０ｄは、低圧直流電力線Ｌ２を介して接続されている電力コントローラ１０から低圧直流電力の供給を受けると共に、中継コントローラ２０ｄと機器３０ｄとの間で所定の導通条件が成立した際に、低圧直流電力線Ｌ７を介して当該電力コントローラ１０により供給された低圧直流電力を機器３０ｄに供給する。なお、電力コントローラ１０により供給された低圧直流電力の中継コントローラ２０ｅ及び２０ｆへの供給については中継コントローラ２０ｄと同様であるため、中継コントローラ２０ｅ及び２０ｆへの供給に関する説明は省略する。
【００３８】
中継コントローラ２０ｇは、交流電力線Ｌ３を介して接続されている電力コントローラ１０から交流電力の供給を受けると共に、中継コントローラ２０ｇと機器３０ｄとの間で所定の導通条件が成立した際に、交流電力線Ｌ１０を介して当該電力コントローラ１０により供給された交流電力を機器３０ｇに供給する。なお、電力コントローラ１０により供給された交流電力の中継コントローラ２０ｈ及び２０ｉへの供給については中継コントローラ２０ｇと同様であるため、中継コントローラ２０ｈ及び２０ｉへの供給に関する説明は省略する。
【００３９】
機器３０ａは、例えば家電機器等の高圧直流電力を駆動源として動作するものであり、中継コントローラ２０ａと機器３０ａとの間で所定の導通条件が成立した際に、高圧直流電力線Ｌ４を介して電力コントローラ１０により供給された高圧直流電力の供給を受ける。機器３０ａは、この供給された高圧直流電力を駆動源として動作する。なお、機器３０ｂ及び３０ｃは機器３０ａと同様に高圧直流電力を駆動源として動作するものであるため、機器３０ｂ及び３０ｃの説明は省略する。
【００４０】
機器３０ｄは、例えばＰＣ（Ｐｅｒｓｏｎａｌ  Ｃｏｍｐｕｔｅｒ）又はＬＥＤ照明等に例示されるような低圧直流電力を駆動源として動作するものであり、中継コントローラ２０ｄと機器３０ｄとの間で所定の導通条件が成立した際に、低圧直流電力線Ｌ７を介して電力コントローラ１０により供給された低圧直流電力の供給を受ける。機器３０ｄは、この供給された低圧直流電力を駆動源として動作する。なお、機器３０ｅ及び３０ｆは機器３０ｄと同様に低圧直流電力を駆動源として動作するものであるため、機器３０ｅ及び３０ｆの説明は省略する。
【００４１】
機器３０ｇは、例えば家電機器等の交流電力を駆動源として動作するものであり、中継コントローラ２０ｇと機器３０ｇとの間で所定の導通条件が成立した際に、交流電力線Ｌ１０を介して電力コントローラ１０により供給された交流電力の供給を受ける。機器３０ｇは、この供給された交流電力を駆動源として動作する。なお、機器３０ｈ及び３０ｉは機器３０ｇと同様に交流電力を駆動源として動作するものであるため、機器３０ｈ及び３０ｉの説明は省略する。
【００４２】
前述した中継コントローラ２０ａ，２０ｄ，２０ｇ及び機器３０ａ，３０ｄ，３０ｇのうち、中継コントローラ２０ａ及び機器３０ａの詳細な構成について図２を参照して説明する。図２は、実施の形態１の宅内配電システム５０における中継コントローラ２０ａ及び機器３０ａの構成を示すブロック図である。なお、中継コントローラ２０ｄ，２０ｇは、低圧直流電力線Ｌ２を介して電力コントローラ１０により供給された低圧直流電力を駆動源として動作する点を除き、中継コントローラ２０ａと同様の構成を備える。また、機器３０ｄ，３０ｇは、交流電力線Ｌ３を介して電力コントローラ１０により供給された交流電力を駆動源として動作する点を除き、機器３０ａと同様の構成を備える。
【００４３】
図２に示すように、中継コントローラ２０ａは、供給電力判定部２１ａと、電源情報受信部２２ａと、電力種別判定部２３ａと、電力供給制御部２４ａと、リレー部２５ａとを備える。
【００４４】
供給電力判定部２１ａは、電力量計等により構成されるものであり、高圧直流電力線Ｌ１を介して電力コントローラ１０により供給された高圧直流電力に関する供給電力情報Ｋを常時、判定している。供給電力判定部２１ａは、この判定された供給電力情報Ｋを電力種別判定部２３ａに出力する。この供給電力情報Ｋには、電力コントローラ１０により供給された電力の種別が高圧直流であることを示す供給電力種別Ｋ１と、電力コントローラ１０により供給された高圧直流電力の供給電圧値Ｋ２とが含まれる。
【００４５】
電源情報受信部２２ａは、機器３０ａが高圧直流電力線Ｌ４に接続された際に電源情報送信部３３ａにより送信された電源情報Ｄを受信する。電源情報受信部２２ａは、当該受信された電源情報Ｄを電力種別判定部２３ａに出力する。この電源情報Ｄには、機器３０ａの駆動に必要な電力種別が高圧直流であることを示す駆動電力種別Ｄ１と、当該機器３０ａの駆動に必要な駆動電圧値Ｄ２とが含まれる。
【００４６】
電力種別判定部２３ａは、供給電力判定部２１ａにより出力された供給電力情報Ｋと、電源情報受信部２２ａにより出力された電源情報Ｄとを取得する。電力種別判定部２３ａは、供給電力判定部２１ａから取得された供給電力情報Ｋに含まれる供給電力種別Ｋ１及び供給電圧値Ｋ２と、電源情報受信部２２ａから取得された電源情報Ｄに含まれる駆動電力種別Ｄ１及び駆動電圧値Ｄ２とがそれぞれ一致するか否か判定する。これら供給電力種別Ｋ１及び供給電圧値Ｋ２と、駆動電力種別Ｄ１及び駆動電圧値Ｄ２とがそれぞれ一致すると判断された場合には、電力種別判定部２３ａは、中継コントローラ２０ａと機器３０ａとの間で導通条件が成立したとして、リレー部２５ａの接点Ｊ１及びＪ２を閉じる旨の制御信号を電力供給制御部２４ａに出力する。供給電力種別Ｋ１と駆動電力種別Ｄ１とが一致しない、又は、供給電圧値Ｋ２と駆動電圧値Ｄ２とが一致しないと判断された場合には、電力種別判定部２３ａは、中継コントローラ２０ａと機器３０ａとの間で導通条件が成立しなかったとして、リレー部２５ａの接点Ｊ１及びＪ２を開ける旨の制御信号を電力供給制御部２４ａに出力する。
【００４７】
電力供給制御部２４ａは、電力種別判定部２３ａにより供給電力種別Ｋ１及び供給電圧値Ｋ２と、駆動電力種別Ｄ１及び駆動電圧値Ｄ２とがそれぞれ一致すると判定された場合に、電力種別判定部２３ａにより出力された制御信号に基づいて、リレー部２５ａの接点Ｊ１及びＪ２を閉じるようにリレー部２５ａを制御する。電力供給制御部２４ａは、電力種別判定部２３ａにより供給電力種別Ｋ１と駆動電力種別Ｄ１とが一致しない、又は、供給電圧値Ｋ２と駆動電圧値Ｄ２とが一致しないと判定された場合に、電力種別判定部２３ａにより出力された制御信号に基づいて、リレー部２５ａの接点Ｊ１及びＪ２を開けるようにリレー部２５ａを制御する。
【００４８】
リレー部２５ａは、電力供給制御部２４ａの制御により接点Ｊ１及びＪ２を閉じることにより、高圧直流電力線Ｌ４を介して電力コントローラ１０により供給された高圧直流電力を機器３０ａへ導通する。リレー部２５ａは、電力供給制御部２４ａの制御により接点Ｊ１及びＪ２を開けることにより、電力コントローラ１０により供給された高圧直流電力の機器３０ａへの導通を遮断する。なお、リレー部２５ａの代わりに、トランジスタを用いても良い。
【００４９】
図２において、機器３０ａは、制御回路３１ａと、電力蓄電部３２ａと、電源情報送信部３３ａとを備える。機器３０ａは、電力コントローラ１０により供給された高圧直流電力を駆動源として動作する。
【００５０】
制御回路３１ａは、機器３０ａが高圧直流電力線Ｌ４に接続されて中継コントローラ２０ａと機器３０ａとの間で前述した導通条件が成立した際に、中継コントローラ２０ａを介して電力コントローラ１０により供給された高圧直流電力の供給を受ける。制御回路３１ａは、中継コントローラ２０ａを介して電力コントローラ１０により供給された高圧直流電力を駆動源として機器３０ａの動作を制御する。より具体的には、制御回路３１ａは、電力種別判定部２３ａにより供給電力情報Ｋと電源情報Ｄとが一致したと判定された場合には、中継コントローラ２０ａを介して電力コントローラ１０により供給された高圧直流電力を駆動源として機器３０ａの動作を制御する。
【００５１】
電力蓄電部３２ａは、二次電池等で構成されるものであり、機器３０ａ内に予め設けられる。電力蓄電部３２ａは、機器３０ａが電力コントローラ１０により供給された高圧直流電力の供給を受けていない場合、すなわち、制御回路３１ａが動作していない場合に、電源情報送信部３３ａを動作させるために必要な電力を蓄電している。なお、電力蓄電部３２ａには、制御回路３１ａを動作させるために必要な電力は蓄電される必要はないが、電源情報送信部３３ａの駆動に必要な電力が少なくとも蓄電されていることが好ましい。
【００５２】
電源情報送信部３３ａは、内部に電源情報Ｄを有するものであり、電力蓄電部３２ａに蓄電された電力を駆動源として、高圧直流電力線Ｌ４を介して接続された中継コントローラ２０ａに当該電源情報Ｄを送信する。
【００５３】
図３は、本実施の形態１の宅内配電システム５０の動作を示すフローチャートである。中継コントローラ２０ａの供給電力判定部２１ａは、高圧直流電力線Ｌ１を介して電力コントローラ１０により供給された高圧直流電力に関する供給電力情報Ｋを常時、判定している（Ｓ１１）。供給電力判定部２１ａは、この判定された供給電力情報Ｋを電力供給判定部２３ａに出力する。
【００５４】
高圧直流電力を駆動源として動作する機器３０ａが高圧直流電力線Ｌ４に接続された場合（Ｓ１２のＹＥＳ）、機器３０ａの電源情報送信部３３ａは、機器３０ａ内の電力蓄電部３２ａに蓄電された電力を駆動源として、高圧直流電力線Ｌ４を介して接続された中継コントローラ２０ａに当該電源情報Ｄを送信する（Ｓ１３）。なお、このとき、機器３０ａには電力コントローラ１０により供給された高圧直流電力が供給されていないため、機器３０ａ内の制御回路３１ａは動作していない。
【００５５】
中継コントローラ２０ａの電源情報受信部２２ａは、機器３０ａの電源情報送信部３３ａにより送信された電源情報Ｄを受信する（Ｓ１４）。電源情報受信部２２ａは、この受信された電源情報Ｄを電力供給判定部２３ａに出力する。
【００５６】
中継コントローラ２０ａの電力種別判定部２３ａは、供給電力判定部２１ａにより出力された供給電力情報Ｋと、電源情報受信部２２ａにより出力された電源情報Ｄとを取得する。電力種別判定部２３ａは、供給電力判定部２１ａから取得された供給電力情報Ｋに含まれる供給電力種別Ｋ１及び供給電圧値Ｋ２と、電源情報受信部２２ａから取得された電源情報Ｄに含まれる駆動電力種別Ｄ１及び駆動電圧値Ｄ２とがそれぞれ一致するか否か判定する（Ｓ１５）。
【００５７】
供給電力情報Ｋに含まれる供給電力種別Ｋ１と電源情報Ｄに含まれる駆動電力種別Ｄ１とが一致しない場合、又は、供給電力情報Ｋに含まれる供給電圧値Ｋ２と電源情報Ｄに含まれる駆動電圧値Ｄ２とが一致しない場合（Ｓ１５のＮＯ）、電力種別判定部２３ａは、中継コントローラ２０ａのリレー部２５ａの接点Ｊ１及びＪ２を開ける旨の制御信号を電力供給制御部２４ａに出力する。中継コントローラ２０ａの電力供給制御部２４ａは、この出力された制御信号に基づいて、リレー部２５ａの接点Ｊ１及びＪ２を開けるようにリレー部２５ａを制御する。この場合には、中継コントローラ２０ａは電力コントローラ１０により供給された高圧直流電力の機器３０ａへの導通を遮断して機器３０ａへの高圧直流電力を導通しないため、機器３０ａの駆動源である高圧直流電力は供給されない（Ｓ１８）。
【００５８】
供給電力判定部２１ａから取得された供給電力情報Ｋに含まれる供給電力種別Ｋ１及び供給電圧値Ｋ２と、電源情報受信部２２ａから取得された電源情報Ｄに含まれる駆動電力種別Ｄ１及び駆動電圧値Ｄ２とがそれぞれ一致する場合（Ｓ１５のＹＥＳ）、電力種別判定部２３ａは、中継コントローラ２０ａのリレー部２５ａの接点Ｊ１及びＪ２を閉じる旨の制御信号を電力供給制御部２４ａに出力する。中継コントローラ２０ａの電力供給制御部２４ａは、この出力された制御信号に基づいて、リレー部２５ａの接点Ｊ１及びＪ２を閉じるようにリレー部２５ａを制御する。この場合には、中継コントローラ２０ａは電力コントローラ１０により供給された高圧直流電力の機器３０ａへ導通するため、機器３０ａの駆動源である高圧直流電力が供給される（Ｓ１６）。機器３０ａは、この供給された高圧直流電力を駆動源として動作する（Ｓ１７）。
【００５９】
図４は、図１に示す宅内配電システム５０の全ての各機器３０ａ〜３０ｉが適正に接続された様子の一例を示す説明図である。図４においては、高圧直流電力を駆動源として動作する機器３０ａ〜３０ｃが高圧直流電力線Ｌ４〜Ｌ６にそれぞれ接続された際に送信された各電源情報Ｄと、電力コントローラ１０により供給された高圧直流電力の供給電力情報Ｋとがそれぞれ一致すると中継コントローラ２０ａ〜２０ｃにより判定される。従って、各機器３０ａ〜３０ｃには高圧直流電力線Ｌ４〜Ｌ６を介して電力コントローラ１０により供給された高圧直流電力が供給され、各機器３０ａ〜３０ｃは当該供給された高圧直流電力を駆動源として動作する。
【００６０】
同様に、低圧直流電力を駆動源として動作する機器３０ｄ〜３０ｆが低圧直流電力線Ｌ７〜Ｌ９にそれぞれ接続された際に送信された各電源情報Ｄと、電力コントローラ１０により供給された低圧直流電力の供給電力情報Ｋとがそれぞれ一致すると中継コントローラ２０ｄ〜２０ｆにより判定される。従って、各機器３０ｄ〜３０ｆには低圧直流電力線Ｌ７〜Ｌ９を介して電力コントローラ１０により供給された低圧直流電力が供給され、各機器３０ｄ〜３０ｆは当該供給された低圧直流電力を駆動源として動作する。
【００６１】
同様に、交流電力を駆動源として動作する機器３０ｇ〜３０ｉが交流電力線Ｌ１０〜Ｌ１２にそれぞれ接続された際に送信された各電源情報Ｄと、電力コントローラ１０により供給された交流電力の供給電力情報Ｋとがそれぞれ一致すると中継コントローラ２０ｇ〜２０ｉにより判定される。従って、各機器３０ｇ〜３０ｉには交流電力線Ｌ１０〜Ｌ１２を介して電力コントローラ１０により供給された交流電力が供給され、各機器３０ｇ〜３０ｉは当該供給された交流電力を駆動源として動作する。
【００６２】
図５は、図１に示す宅内配電システム５０の各機器３０ａ〜３０ｉのうち一部の機器３０ｂ及び３０ｉが誤って接続された様子の一例を示す説明図である。図４と図５との差異について説明する。図５においては、交流電力を駆動源として動作する機器３０ｉが高圧直流電力線Ｌ５に接続された際に送信された電源情報Ｄと、高圧直流電力線Ｌ１を介して電力コントローラ１０により供給された高圧直流電力の供給電力情報Ｋとが一致しないと中継コントローラ２０ｂにより判定される。従って、中継コントローラ２０ｂは、高圧直流電力線Ｌ１を介して電力コントローラ１０により供給された高圧直流電力を機器３０ｉに供給しない。このため、機器３０ｉには高圧直流電力が供給されないため、機器３０ｉの制御回路又は周辺装置の誤動作や破損を防ぐことができる。
【００６３】
同様に、高圧直流電力を駆動源として動作する機器３０ｂが交流電力線Ｌ１２に接続された際に送信された電源情報Ｄと、交流電力線Ｌ３を介して電力コントローラ１０により供給された交流電力の供給電力情報Ｋとが一致しないと中継コントローラ２０ｉにより判定される。従って、中継コントローラ２０ｉは、交流電力線Ｌ３を介して電力コントローラ１０により供給された交流電力を機器３０ｂに供給しない。このため、機器３０ｂには交流電力が供給されないため、機器３０ｂの制御回路又は周辺装置の誤動作や破損を防ぐことができる。
【００６４】
以上のように、本実施の形態１においては、中継コントローラ２０ａの電力種別判定部２３ａにより、常時判定されている電力コントローラ１０により供給された高圧直流電力の供給電力情報Ｋと、機器３０ａにより送信された電源情報Ｄとが一致するか否かが判定される。供給電力情報Ｋと電源情報Ｄとが一致する場合に限り、電力コントローラ１０により供給された高圧直流電力は、中継コントローラ２０ａを中継して機器３０ａへ導通される。機器３０ａは、この導通された高圧直流電力を駆動源として動作する。また、電源情報Ｄは、機器３０ａの制御回路３１ａが動作していない場合であっても、電力蓄電部３２ａに予め蓄電された電力を駆動源として電源情報送信部３３ａにより中継コントローラ２０ａに送信される。従って、配電系統である電力コントローラ１０に接続された機器３０ａ〜３０ｉの仕様に応じて当該機器３０ａ〜３０ｉへの駆動電力の要否を適切に判定し、当該機器３０ａ〜３０ｉの制御回路又は周辺装置の誤動作や破損を防ぐことができる。
【００６５】
（実施の形態２）
実施の形態１において、図２に示す供給電力判定部２１ａは、高圧直流電力線Ｌ１を介して電力コントローラ１０により供給された高圧直流電力に関する供給電力情報Ｋを常時、判定している。しかし、実施の形態１における供給電力判定部２１ａは供給電力情報Ｋを常時判定するため、当該供給電力判定部２１ａにおける消費電力は増大する可能性がある。そこで、本実施の形態２では、供給電力判定部２１’ａは、電力種別判定部２３’ａにより所定の指示信号を入力した場合に、当該指示に基づいて供給電力情報Ｋ’を判定する。以下の本実施の形態２の構成に関する説明においては、実施の形態１の構成に関する差異についてのみ説明し、同一の構成及び当該構成の内容に関しては当該説明を省略する。
【００６６】
本実施の形態２において、中継コントローラ２０ａの供給電力判定部２１’ａは、電力コントローラ１０により供給された高圧直流電力に関する供給電力情報Ｋ’を判定する旨の指示信号を電力種別判定部２３’ａにより入力した場合、当該指示信号に基づいて当該供給電力情報Ｋ’を判定する。供給電力判定部２１’ａは、この判定された供給電力情報Ｋ’を電力種別判定部２３’ａに出力する。
【００６７】
中継コントローラ２０ａの電力種別判定部２３’ａは、電源情報受信部２２ａにより出力された電源情報Ｄを取得した場合、電力コントローラ１０により供給された高圧直流電力に関する供給電力情報Ｋ’を判定する旨の指示信号を供給電力判定部２１’ａに出力する。
【００６８】
電力種別判定部２３’ａは、供給電力判定部２１’ａから取得された供給電力情報Ｋに含まれる供給電力種別Ｋ１及び供給電圧値Ｋ２と、電源情報受信部２２ａから取得された電源情報Ｄに含まれる駆動電力種別Ｄ１及び駆動電圧値Ｄ２とがそれぞれ一致するか否か判定する。これら供給電力種別Ｋ１及び供給電圧値Ｋ２と、駆動電力種別Ｄ１及び駆動電圧値Ｄ２とがそれぞれ一致すると判断された場合には、電力種別判定部２３’ａは、中継コントローラ２０ａと機器３０ａとの間で導通条件が成立したとして、リレー部２５ａの接点Ｊ１及びＪ２を閉じる旨の制御信号を電力供給制御部２４ａに出力する。供給電力種別Ｋ１と駆動電力種別Ｄ１とが一致しない、又は、供給電圧値Ｋ２と駆動電圧値Ｄ２とが一致しないと判断された場合には、電力種別判定部２３’ａは、中継コントローラ２０ａと機器３０ａとの間で導通条件が成立しなかったとして、リレー部２５ａの接点Ｊ１及びＪ２を開ける旨の制御信号を電力供給制御部２４ａに出力する。
【００６９】
図６は、本実施の形態２の宅内配電システム５０の動作を示すフローチャートである。図６においても、実施の形態１における図３の説明と同様に、図１に示す点線Ａに囲まれる中継コントローラ２０ａ及び機器３０ａについて説明する。
【００７０】
高圧直流電力を駆動源として動作する機器３０ａが高圧直流電力線Ｌ４に接続された場合（Ｓ２１のＹＥＳ）、機器３０ａの電源情報送信部３３ａは、機器３０ａ内の電力蓄電部３２ａに蓄電された電力を駆動源として、高圧直流電力線Ｌ４を介して接続された中継コントローラ２０ａに当該電源情報Ｄを送信する（Ｓ２２）。なお、このとき、機器３０ａには電力コントローラ１０により供給された高圧直流電力が供給されていないため、機器３０ａ内の制御回路３１ａは動作していない。
【００７１】
中継コントローラ２０ａの電源情報受信部２２ａは、機器３０ａの電源情報送信部３３ａにより送信された電源情報Ｄを受信する（Ｓ２３）。電源情報受信部２２ａは、この受信された電源情報Ｄを電力種別判定部２３’ａに出力する。
【００７２】
中継コントローラ２０ａの電力種別判定部２３’ａは、機器３０ａの電源情報受信部２２ａにより出力された電源情報Ｄを取得した場合、電力コントローラ１０により供給された高圧直流電力に関する供給電力情報Ｋ’を判定する旨の指示信号を供給電力判定部２１’ａに出力する（Ｓ２４）。
【００７３】
中継コントローラ２０ａの供給電力判定部２１’ａは、電力コントローラ１０により供給された高圧直流電力に関する供給電力情報Ｋ’を判定する旨の指示信号を電力種別判定部２３’ａにより取得した場合、当該指示信号に基づいて当該供給電力情報Ｋ’を判定する（Ｓ２５）。供給電力判定部２１’ａは、この判定された供給電力情報Ｋ’を電力種別判定部２３’ａに出力する。
【００７４】
供給電力情報Ｋ’に含まれる供給電力種別Ｋ１’と電源情報Ｄに含まれる駆動電力種別Ｄ１とが一致しない場合、又は、供給電力情報Ｋに含まれる供給電圧値Ｋ２’と電源情報Ｄに含まれる駆動電圧値Ｄ２とが一致しない場合（Ｓ２６のＮＯ）、電力種別判定部２３’ａは、中継コントローラ２０ａのリレー部２５ａの接点Ｊ１及びＪ２を開ける旨の制御信号を電力供給制御部２４ａに出力する。中継コントローラ２０ａの電力供給制御部２４ａは、この出力された制御信号に基づいて、リレー部２５ａの接点Ｊ１及びＪ２を開けるようにリレー部２５ａを制御する。この場合には、中継コントローラ２０ａは電力コントローラ１０により供給された高圧直流電力の機器３０ａへの導通を遮断して機器３０ａへの高圧直流電力を導通しないため、機器３０ａの駆動源である高圧直流電力は供給されない（Ｓ２９）。
【００７５】
供給電力判定部２１’ａから取得された供給電力情報Ｋ’に含まれる供給電力種別Ｋ１’及び供給電圧値Ｋ２’と、電源情報受信部２２ａから取得された電源情報Ｄに含まれる駆動電力種別Ｄ１及び駆動電圧値Ｄ２とがそれぞれ一致する場合（Ｓ２６のＹＥＳ）、電力種別判定部２３’ａは、中継コントローラ２０ａのリレー部２５ａの接点Ｊ１及びＪ２を閉じる旨の制御信号を電力供給制御部２４ａに出力する。中継コントローラ２０ａの電力供給制御部２４ａは、この出力された制御信号に基づいて、リレー部２５ａの接点Ｊ１及びＪ２を閉じるようにリレー部２５ａを制御する。この場合には、中継コントローラ２０ａは電力コントローラ１０により供給された高圧直流電力の機器３０ａへ導通するため、機器３０ａの駆動源である高圧直流電力が供給される（Ｓ２７）。機器３０ａは、この供給された高圧直流電力を駆動源として動作する（Ｓ２８）。
【００７６】
以上のように、本実施の形態２においては、中継コントローラ２０ａの電源情報受信部２２ａにより機器３０ａの電源情報Ｄが取得された場合に、中継コントローラ２０ａの電力種別判定部２３’ａは、電力コントローラ１０により供給された電力の供給電力情報Ｋ’を判定する旨の指示信号を供給電力判定部２１’ａに出力する。中継コントローラ２０ａの供給電力判定部２１’ａは、この指示信号に基づいて、電力コントローラ１０により供給された電力の供給電力情報Ｋ’を判定する。供給電力判定部２１’ａは、この判定された供給電力情報Ｋ’を電力種別判定部２３’ａに出力する。
【００７７】
中継コントローラ２０ａの電力種別判定部２３’ａにより、供給電力情報Ｋ’と電源情報Ｄとが一致するか否かが判定される。供給電力情報Ｋ’と電源情報Ｄとが一致する場合に限り、電力コントローラ１０により供給された高圧直流電力は、中継コントローラ２０ａにより機器３０ａへ導通される。機器３０ａは、この導通された高圧直流電力を駆動源として動作する。また、電源情報Ｄは、機器３０ａの制御回路３１ａが動作していない場合であっても、電力蓄電部３２ａに予め蓄電された電力を駆動源として電源情報送信部３３ａにより中継コントローラ２０ａに送信される。
【００７８】
従って、配電系統である電力コントローラ１０に接続された機器３０ａ〜３０ｉの仕様に応じて当該機器３０ａ〜３０ｉへの駆動電力の要否を適切に判定し、当該機器３０ａ〜３０ｉの制御回路又は周辺装置の誤動作や破損を防ぐことができる。更に、本実施の形態２によれば、電力コントローラ１０により供給された電力の供給電力情報Ｋ’は常時判定される必要がなくなり、供給電力判定部２１’ａは、電力種別判定部２３’ａにより出力された指示信号に応じて判定すれば良い。このため、実施の形態１に比べて、供給電力判定部２１’ａにおける消費電力を低減することができる。
【００７９】
（実施の形態３）
図７は、実施の形態３の宅内配電システム５０の構成を示すブロック図である。実施の形態１の宅内配電システム５０が本実施の形態３の宅内配電システム５０と異なる点は、機器３０ａの構成である。この点以外は実施の形態１と同様であり、図７において、図２と共通する構成要素には同じ参照符号が付されている。以下、本実施の形態３において実施の形態１と異なる機器３０ａの構成について説明することとし、中継コントローラ２０ａの構成に関する説明は省略する。
【００８０】
図７において、機器３０ａは、制御回路３１’ａと、電力蓄電部３２’ａと、電源情報送信部３３ａと、蓄電制御部３４ａと、リレー部３５ａとを備える。機器３０ａは、電力コントローラ１０により供給された高圧直流電力を駆動源として動作する。
【００８１】
制御回路３１’ａは、機器３０’ａが高圧直流電力線Ｌ４に接続されて中継コントローラ２０ａと機器３０’ａとの間で前述した導通条件が成立した際に、中継コントローラ２０ａを介して電力コントローラ１０により供給された高圧直流電力の供給を受ける。制御回路３１’ａは、中継コントローラ２０ａを介して電力コントローラ１０により供給された高圧直流電力を駆動源として機器３０’ａの動作を制御する。より具体的には、制御回路３１’ａは、中継コントローラ２０ａの電力種別判定部２３ａにより供給電力情報Ｋと電源情報Ｄとが一致したと判定された場合に、中継コントローラ２０ａを介して電力コントローラ１０により供給された高圧直流電力を駆動源として機器３０’ａの動作を制御する。また、制御回路３１’ａは、機器３０’ａが電力コントローラ１０により供給された高圧直流電力の供給を受けて動作している場合には、リレー部３５ａの接点Ｊ３及びＪ５を閉じる旨の制御信号を蓄電制御部３４ａに出力する。
【００８２】
電力蓄電部３２’ａは、二次電池等で構成されるものであり、機器３０’ａ内に予め設けられる。電力蓄電部３２’ａには、制御回路３１’ａにより出力された制御信号に基づいて蓄電制御部３４ａがリレー部３５ａの接点Ｊ３及びＪ５を閉じることにより、電力コントローラ１０により供給された電力の一部が充電される。なお、電力蓄電部３２’ａには、制御回路３１’ａを動作させるために必要な電力は蓄電されていないが、電源情報送信部３３ａ及び蓄電制御部３４ａを動作させるために必要な電力を少なくとも蓄電されていることが好ましい。
【００８３】
電源情報送信部３３ａは、内部に電源情報Ｄを有するものであり、電力蓄電部３２’ａに蓄電された電力を駆動源として、高圧直流電力線Ｌ４を介して接続された中継コントローラ２０ａに当該電源情報Ｄを送信する。
【００８４】
蓄電制御部３４ａは、機器３０’ａが電力コントローラ１０により供給された高圧直流電力の供給を受けて動作している場合に、制御回路３１’ａにより出力された制御信号に基づいて、リレー部３５ａの接点Ｊ３及びＪ５を閉じるようにリレー部３５ａを制御する。蓄電制御部３４ａは、機器３０’ａが電力コントローラ１０により供給された高圧直流電力の供給を受けて動作していない場合に、電力蓄電部３２’ａにより蓄電された電力を駆動源として、リレー部３５ａの接点Ｊ３及びＪ４を閉じるように制御する。
【００８５】
リレー部３５ａは、蓄電制御部３４ａの制御により接点Ｊ３及びＪ５を閉じることにより、電力コントローラ１０により供給された高圧直流電力の一部を電力蓄電部３２’ａへ導通する。リレー部３５ａは、蓄電制御部３４ａの制御により接点Ｊ３及びＪ４を閉じることにより、電力蓄電部３２’ａにより蓄電された電力を電源情報送信部３３ａへ導通する。
【００８６】
図８は、本実施の形態３の宅内配電システム５０の動作を示すフローチャートである。供給電力判定部２１ａは、高圧直流電力線Ｌ１を介して電力コントローラ１０により供給された高圧直流電力に関する供給電力情報Ｋを常時、判定している（Ｓ３１）。供給電力判定部２１ａは、この判定された供給電力情報Ｋを電力種別判定部２３ａに出力する。
【００８７】
高圧直流電力を駆動源として動作する機器３０’ａが高圧直流電力線Ｌ４に接続された場合（Ｓ３２のＹＥＳ）、機器３０’ａの電源情報送信部３３ａは、電力蓄電部３２’ａに蓄電された電力を駆動源として、高圧直流電力線Ｌ４を介して接続された中継コントローラ２０ａに当該電源情報Ｄを送信する（Ｓ３３）。
【００８８】
電源情報受信部２２ａは、電源情報送信部３３ａにより送信された電源情報Ｄを受信する（Ｓ３４）。電源情報受信部２２ａは、この受信された電源情報Ｄを電力供給判定部２３ａに出力する。
【００８９】
電力種別判定部２３ａは、供給電力判定部２１ａにより出力された供給電力情報Ｋと、電源情報受信部２２ａにより出力された電源情報Ｄとを取得する。電力種別判定部２３ａは、供給電力判定部２１ａから取得された供給電力情報Ｋに含まれる供給電力種別Ｋ１及び供給電力量Ｋ２と、電源情報受信部２２ａから取得された電源情報Ｄに含まれる駆動電力種別Ｄ１及び駆動電圧値Ｄ２とがそれぞれ一致するか否か判定する（Ｓ３５）。
【００９０】
供給電力判定部２１ａから取得された供給電力情報Ｋに含まれる供給電力種別Ｋ１及び供給電圧値Ｋ２と、電源情報受信部２２ａから取得された電源情報Ｄに含まれる駆動電力種別Ｄ１及び駆動電圧値Ｄ２とがそれぞれ一致しない場合（Ｓ３５のＮＯ）、電力種別判定部２３ａは、リレー部２５ａの接点Ｊ１及びＪ２を開ける旨の制御信号を電力供給制御部２４ａに出力する。電力供給制御部２４ａは、この出力された制御信号に基づいて、リレー部２５ａの接点Ｊ１及びＪ２を開けるようにリレー部２５ａを制御する。この場合には、中継コントローラ２０ａは電力コントローラ１０により供給された高圧直流電力の機器３０’ａへの導通を遮断して機器３０’ａへの高圧直流電力を導通しないため、機器３０’ａの駆動源である高圧直流電力は供給されない（Ｓ３８）。
【００９１】
供給電力判定部２１ａから取得された供給電力情報Ｋに含まれる供給電力種別Ｋ１及び供給電圧値Ｋ２と、電源情報受信部２２ａから取得された電源情報Ｄに含まれる駆動電力種別Ｄ１及び駆動電圧値Ｄ２とがそれぞれ一致する場合（Ｓ３５のＹＥＳ）、電力種別判定部２３ａは、リレー部２５ａの接点Ｊ１及びＪ２を閉じる旨の制御信号を電力供給制御部２４ａに出力する。電力供給制御部２４ａは、この出力された制御信号に基づいて、リレー部２５ａの接点Ｊ１及びＪ２を閉じるようにリレー部２５ａを制御する。この場合には、中継コントローラ２０ａは電力コントローラ１０により供給された高圧直流電力の機器３０’ａへ導通するため、機器３０’ａの駆動源である高圧直流電力が供給される（Ｓ３６）。機器３０’ａは、この供給された高圧直流電力を駆動源として動作する（Ｓ３７）。
【００９２】
機器３０’ａが電力コントローラ１０により供給された高圧直流電力の供給を受けて動作している場合には（Ｓ３９のＹＥＳ）、蓄電制御部３４ａは、制御回路３１’ａにより出力された制御信号に基づいて、リレー部３５ａの接点Ｊ３及びＪ５を閉じるようにリレー部３５ａを制御する（Ｓ４０）。リレー部３５ａは、蓄電制御部３４ａの制御により接点Ｊ３及びＪ５を閉じることにより、制御回路３１’ａを介して電力を電力蓄電部３２’ａへ導通する。この場合に、電力蓄電部３２’ａの充電が行われる（Ｓ４１）。
【００９３】
以上のように、本実施の形態３においては、中継コントローラ２０ａの電力種別判定部２３ａにより、常時判定されている電力コントローラ１０により供給された電力の供給電力情報Ｋと、機器３０’ａにより送信された電源情報Ｄとが一致するか否かが判定される。供給電力情報Ｋと電源情報Ｄとが一致する場合に限り、電力コントローラ１０により供給された高圧直流電力は、中継コントローラ２０ａにより機器３０’ａへ導通される。機器３０’ａは、この導通された高圧直流電力を駆動源として動作する。また、電源情報Ｄは、機器３０’ａの制御回路３１’ａの動作に必要な電力が供給されていない場合であっても、電力蓄電部３２’ａに予め蓄電された電力を駆動源として中継コントローラ２０ａに送信される。従って、配電系統である電力コントローラ１０に接続された機器３０’ａ〜３０’ｉの仕様に応じて当該機器３０’ａ〜３０’ｉへの駆動電力の要否を適切に判定し、当該機器３０’ａ〜３０’ｉの制御回路又は周辺装置の誤動作や破損を防ぐことができる。
【００９４】
更に、機器３０’ａが電力コントローラ１０により供給された高圧直流電力の供給を受けて動作している場合に、蓄電制御部３４ａが接点Ｊ３及びＪ５を閉じることにより、電力蓄電部３２’ａへの充電が行われる。従って、電力蓄電部３２’ａにより蓄電されている電力がなくなった場合に必要な電池交換の手間を省くことができ、利便性の高い機器３０’ａの利用が可能となる。
【００９５】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【００９６】
なお、前述した実施の形態３において、電力蓄電部３２’ａの充電が完了した場合に、当該電力蓄電部３２’ａの蓄電状況を逐次監視する蓄電電力監視部（不図示）が電力蓄電部３２’ａの充電が完了した旨の充電完了信号を制御回路３１’ａに出力しても良い。この場合、蓄電電力監視部により出力された充電完了信号に基づいて、制御回路３１’ａは、蓄電制御部３４ａにリレー部３５ａの接点Ｊ３及びＪ４を閉じる状態、又は、いずれの接点Ｊ３〜Ｊ５も閉じない状態にするように制御させても良い。
【００９７】
前述した実施の形態３においては、機器３０’ａが動作中でない場合には図８のＳ３９以降の処理が進まないように説明した。しかし、同図のＳ３９において機器３０’ａが動作中でない場合には、蓄電制御部３４ａは、電力蓄電部３２’ａにより蓄電された電力を駆動源として、リレー部３５ａの接点Ｊ３及びＪ４を閉じる制御を行うように、図８の処理を進めても良い。
【００９８】
前述した各実施の形態１〜３では、機器３０ａ又は機器３０’ａの電源情報送信部３３ａが電源情報Ｄを内部に有するものとして説明した。しかし、電源情報Ｄを記憶する電源情報記憶部を機器３０ａ又は機器３０’ａ内に設けても良い。この場合、電源情報送信部３３ａは、電源情報記憶部に記憶される電源情報Ｄを中継コントローラ２０ａに送信することになる。
【００９９】
（実施の形態４）
図９は、実施の形態４の宅内配電システム５０の構成を示すブロック図である。実施の形態１〜３の宅内配電システム５０と本実施の形態４の宅内配電システム５０とが異なる点は、電力コントローラ１０と中継コントローラ２０ａの構成である。この点以外は実施の形態１〜３に記載された内容もしくは適宜組み合わせた内容であり、図９において、図２と共通する構成要素には同じ参照符号が付されている。以下、本実施の形態４において実施の形態１〜３と異なる電力コントローラ１０と中継コントローラ２０ａの構成について説明することとし、上記の構成以外に関する説明は省略する。
【０１００】
本実施の形態４において、中継コントローラ２０ａは電源情報受信部２２ａにより取得された電源情報Ｄ、供給電力判定部２１ａから取得された供給電力情報Ｋに加えて、さらに接続された機器３０ａの機器情報Ｅを取り扱う。ここで、機器情報Ｅとは、少なくとも、その機器３０ａがどのように使用されるかを示す情報を含んだものであり、例えば、当該機器３０ａの平均的な消費電力に関する情報、当該機器３０ａに対する待機電力が必要かどうかに関する情報、及び、当該機器３０ａの高頻度に使用される時間帯に関する情報などの情報を含むものである。中継コントローラ２０ａの電源情報受信部２２ａは、実施の形態１〜３によりリレー部２５ａの接点Ｊ１及びＪ２が閉じられたことにより中継コントローラ２０ａと機器３０ａとの間が導通された場合に、機器３０ａの電源情報送信部３３ａにより送信された機器情報Ｅを受信する。図９に示すように、機器３０ａの電源情報送信部３３ａは、当該機器３０ａに関する機器情報Ｅを予め保持しているものとする。中継コントローラ２０ａの電源情報受信部２２ａは、機器３０ａの電源情報送信部３３ａにより送信された機器情報Ｅを受信すると共に、この受信された機器情報Ｅを電力種別判定部２３ａに出力する。電力種別判定部２３ａは、電源情報受信部２３ａにより出力された機器情報Ｅを取得すると共に、この取得された機器情報Ｅを電力コントローラ１０に送信する。
【０１０１】
電力コントローラ１０は、実施の形態１〜３により中継コントローラ２０ａを介して導通された機器３０ａについて、中継コントローラ２０ａが機器３０ａより取得した機器情報Ｅを取得すると共に、この取得された機器情報Ｅを電力コントローラ１０内の機器情報蓄積部１１に蓄積する。電力コントローラ１０内の制御部１２は、機器情報蓄積部１１に蓄積された機器情報Ｅを分析し、商用電源１、太陽電池２、燃料電池３及び蓄電池４のうち何れか若しくは組み合わせることにより、最も効率的な方法で省エネルギーの実現した電力の供給又は使用される電力に対する電気料金の削減を行うために、接続された各機器３０に電力を供給するように制御する。なお、制御部１２が機器情報蓄積部１１に蓄積された機器情報Ｅを分析するのは、機器情報Ｅが機器情報蓄積部１１に蓄積された時点で行われるのが好ましい。
【０１０２】
具体的には、制御部１２は、接続された機器３０ａの供給電力種別Ｋおよび平均的な消費電力に関する情報を含む機器情報Ｅに基づいて、直流電源を機器３０ａ〜３０ｆに優先的に供給し、又は交流電源を機器３０ｇ〜３０ｉに優先的に供給するように制御する。これにより、直流電力及び交流電力である供給エネルギーの変換ロスを最小限にすることができる。更に詳しく述べると、制御部１２は、機器情報蓄積部１１に蓄積された機器情報Ｅに含まれる平均的な消費電力に関する情報に基づいて、直流電源の中でも概ね２００［Ｖ］以上の電圧を出力する太陽電池２から得られた電力を高圧直流電力線Ｌ１へ、概ね１００［Ｖ］以下の電圧を出力する燃料電池３又は蓄電池４から得られた電力を低圧直流電力線Ｌ２へ、商用電源１から得られた電力を交流電力線Ｌ３へ優先的に供給する。これは、直流電力又は交流電力におけるエネルギーの変換ロスを最小限にする観点から望ましい。これにより、効率的な方法で省エネルギーを実現した電力の供給を行うことができるものである。
【０１０３】
また、制御部１２は、接続された機器３０ａ〜３０ｉの各々の機器情報Ｅに基づいて待機電力が必要であると分析された機器３０に対して、電気料金の高い昼間に使用される待機電力量を電気料金の安い夜間の電力で補うために、夜間に商用電源１の電力を整流平滑して得られた直流電力を蓄電池４に充電し、昼間に当該充電された蓄電池４の電力を用いて待機電力を賄うようにする。これにより、宅内配電システム５０は、効率的な方法で各々の機器３０ａ〜３０ｆに対する電気料金の削減を実現することができる。なお、蓄電池４には直流電力が充電されるが、電力コントローラ１０は、当該充電された余剰の直流電力を直流交流変換することにより、機器３０ｇ〜３０ｉに対して交流電力を供給しても良い。特に、冷蔵庫のような機器３０が接続された場合には、当該冷蔵庫の庫内温度を一定に保たなければならないため、常に一定の電力は必要であり、宅内配電システム５０は、上記の制御をすることにより効率的に電気料金の削減を図ることができる。
【０１０４】
また、制御部１２は、接続された機器３０ａ〜３０ｉの各々の機器情報Ｅに基づいてどの時間帯に使用される頻度が高いかが分析された機器３０に対して、待機電力の場合と同様に電気料金が最も安い時間帯の電力を蓄電池４に充電しておき、使用頻度の高い時間帯に供給するようにする。これにより、宅内配電システム５０は、効率的な方法で各々の機器３０ａ〜３０ｉに対する電気料金の削減を実現することができる。特に、ＩＨ調理器のような種類の機器の使用はある程度生活スタイルによって決まるため、時間帯により使用頻度が決まるものである。従って、上記の制御をすることにより、宅内配電システム５０は、効率的に電気料金の削減を図ることができる。なお、給湯器のような種類の機器では、夏場と冬場とで使用の状況が変わるので、上記の日ごと時間帯に関する情報に加えて、月ごとの情報もしくは季節ごとの情報を機器情報Ｅに加えてもよい。
【０１０５】
以上のように、本実施の形態４においては、中継コントローラ２０ａの電力種別判定部２３ａにより、常時判定されている電力コントローラ１０により供給された電力の供給電力情報Ｋと、機器３０ａにより送信された電源情報Ｄとが一致するか否かが判定され、さらに中継コントローラ２０ａは機器３０ａから機器情報Ｅを受信する。供給電力情報Ｋと電源情報Ｄとが一致する場合に限り、電力コントローラ１０により供給された高圧直流電力は、中継コントローラ２０ａにより機器３０ａへ導通されるとともに、中継コントローラ２０ａは電力コントローラ１０に機器情報Ｅを送信する。そして、電力コントローラ１０はこの受信した機器情報Ｅに基づいて、どの電源をどのような形態で使用するかを選択し、またどのように機器に供給するかを制御するものである。これにより、配電系統である電力コントローラ１０に接続された機器３０ａ〜３０ｉの仕様に応じて当該機器３０ａ〜３０ｉへの駆動電力の要否を適切に判定し、当該機器３０ａ〜３０ｉの制御回路又は周辺装置の破損を防ぐことができるとともに、最も効率的に省エネ制御や電気代削減を実現することができるものである。
【０１０６】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【０１０７】
本発明に係る宅内配電システムは、バッテリ等の電力を蓄電する機器に適する供給電力情報を判定することから、家庭、オフィス、店舗等で使用される機器全般に適用することが可能である。
【符号の説明】
【０１０８】
１  商用電源
２  太陽電池
３  燃料電池
４  蓄電池
１０  電力コントローラ
１１  機器情報蓄積部
１２  制御部
２０ａ〜２０ｉ  中継コントローラ
２１ａ、２１’ａ  供給電力判定部
２２ａ  電源情報受信部
２３ａ、２３’ａ  電力種別判定部
２４ａ  電力供給制御部
２５ａ  リレー部
３０ａ〜３０ｉ  機器
３１ａ、３１’ａ  制御回路
３２ａ、３２’ａ  電力蓄電部
３３ａ  電源情報送信部
３４ａ  蓄電制御部
３５ａ  リレー部
５０、５０ｂ  宅内配電システム
Ｄ  電源情報
Ｄ１  駆動電力種別
Ｄ２  駆動電圧値
Ｊ１〜Ｊ５  接点
Ｌ１、Ｌ４、Ｌ５、Ｌ６  高圧直流電力線
Ｌ２、Ｌ７、Ｌ８、Ｌ９  低圧直流電力線
Ｌ３、Ｌ１０、Ｌ１１、Ｌ１２  交流電力線
Ｋ  供給電力情報
Ｋ１  供給電力種別
Ｋ２  供給電圧値
【図１】
2011193634.tif 000003
【図２】
2011193634.tif 000004
【図３】
2011193634.tif 000005
【図４】
2011193634.tif 000006
【図５】
2011193634.tif 000007
【図６】
2011193634.tif 000008
【図７】
2011193634.tif 000009
【図８】
2011193634.tif 000010
【図９】
2011193634.tif 000011
【図１０】
2011193634.tif 000012